(57)【要約】【課題】  訪問者が訪問先の住戸のあるフロアとは異なるフロアに進んでしまった場合に、訪問者が間違っていることを認識できる集合住宅インターホンシステムを提供する。【解決手段】  制御機９は、個々の居室とフロア玄関機５を関連付けたルート情報と、カード情報と訪問先情報を記憶する制御機メモリ５７と、カードリーダ７が読み取ったカード情報と記憶しているカード情報を比較して解錠を判断する制御機ＣＰＵ５８とを備え、制御機ＣＰＵ５８は、カードリーダ７が読み込んだカード情報が正しくなく他のフロアオートドア設備６に関連付けられた解錠カードであると判断した場合には、解錠操作されたフロア玄関機５から間違っている旨の案内情報を発する制御を行う。【選択図】  図２
2008079259.tif 000002
【特許請求の範囲】
【請求項１】
集合玄関において居住者を呼び出すための集合玄関機と、各フロアにおいて居住者を呼び出すためのフロア玄関機と、前記集合玄関機及び前記フロア玄関機の夫々に対応して設置されたオートドア設備と、個々の住戸において呼び出しに応答するための居室親機と、各機器間の音声信号等を制御する制御機とを有し、更に前記集合玄関機には、前記フロア玄関機に対応したオートドア設備を解錠する解錠カードを発券するカード発券機が接続されると共に、前記フロア玄関機には対応するオートドア設備を解錠するためのカード情報入力手段が接続された集合住宅インターホン装置において、
前記制御機は、個々の居室と前記フロア玄関機を関連付けたルート情報を記憶するルート記憶手段と、発券した解錠カードの情報と訪問先情報を記憶するカード情報記憶手段と、前記カード情報入力手段に入力されたカード情報と記憶している解錠カード情報とを比較して正誤を判断する制御機制御手段とを備え、
前記制御機制御手段は、前記カード情報入力手段に入力されたカード情報が正しい情報であると判断したら解錠制御を行い、他のオートドア設備に関連付けられた誤った解錠カード情報であると判断した場合には、解錠操作されたフロアの前記フロア玄関機から間違っている旨の案内情報を発する制御を行うことを特徴とする集合住宅インターホンシステム。
【請求項２】
集合玄関において居住者を呼び出すための集合玄関機と、各フロアにおいて居住者を呼び出すためのフロア玄関機と、前記集合玄関機及び前記フロア玄関機の夫々に対応して設置されたオートドア設備と、個々の住戸おいて呼び出しに応答するための居室親機と、各機器間の音声信号等を制御する制御機とを有し、更に前記集合玄関機には、訪問者のバイオメトリクス情報を入力するための第１バイオメトリクス入力機が接続されると共に、前記フロア玄関機にはオートドア設備を解錠するための第２バイオメトリクス入力機が接続され、
前記制御機は、個々の居室と前記フロア玄関機を関連付けたルート情報を記憶するルート記憶手段と、前記第１バイオメトリクス入力機から入手した訪問者情報と訪問先情報を記憶するバイオメトリクス情報記憶手段と、前記第２バイオメトリクス入力機から入手した訪問者情報と記憶しているバイオメトリクス情報とを比較して正誤を判断する制御機制御手段とを備え、
前記制御機制御手段は、比較した結果正しい情報であると判断したら解錠制御を行い、他のオートドア設備に関連付けられた間違った情報であると判断した場合には、解錠操作された前記フロア玄関機から間違っている旨の案内情報を発する制御を行うことを特徴とする集合住宅インターホンシステム。
【請求項３】
前記フロア玄関機は訪問者を撮像するためのカメラを有すると共に、管理室にはカメラ撮像映像を出画するモニタを備えた管理室親機が設置され、前記制御機制御手段は、前記所定の案内情報を発する制御に合わせて、解錠操作されたフロア玄関機のカメラを撮像制御して撮像映像を前記管理室親機に出画制御することを特徴とする請求項１又は２に記載の集合住宅インターホンシステム。
【発明の詳細な説明】
【技術分野】
【０００１】
本発明は、集合住宅インターホンシステムに関し、特に集合玄関以外に各フロアにもオートドアを設けて、セキュリティを向上させた集合住宅インターホンシステムに関する。
【背景技術】
【０００２】
集合玄関以外に各フロアエントランスにもオートドア装置を設けて、セキュリティを向上させた集合住宅インターホンシステムとして例えば特許文献１に記載されたものがある。この特許文献１では、集合玄関機で訪問先の居室親機の呼び出しを行うと、応答した居住者により集中エントランスのオートドアが解錠される。また、集中エントランスには発券機が設置され、解錠操作を受けた制御機は、発券機からフロアに設けられたオートドアを解錠操作するための解錠カードを発券し、訪問者はその解錠カードを持って集中エントランスのオートドアを通過して訪問先の住戸のあるフロアに進み、そのフロアエントランスに設置されたカードリーダに解錠カードを挿入することでフロアに設置されているオートドアが解錠され、目的とする住戸まで進むことができる構成となっている。
【特許文献１】特開２００３−９７１１０号公報
【発明の開示】
【発明が解決しようとする課題】
【０００３】
上記特許文献１のシステムは、各フロアに設置されたオートドア設備に関しては、居住者を呼び出すことなく訪問者自身で容易に解錠操作でき、同時にセキュリティも維持できるので、居住者、訪問者の双方にとって利便性が高いシステムとなっている。ところが、発券される解錠カードは、訪問先の住戸のあるフロアの電気錠しか解錠することができないため、訪問者が間違って訪問先の住戸とは異なるフロアに進んで解錠操作した場合、オートドア設備は反応せず解錠することはない。そのため、訪問者はどうすればよいか戸惑ってしまう場合があった。
これは、異なったフロアでも解錠するよう解錠カード情報を変更すれば解決できるがセキュリティの劣化を招くことになる。
【０００４】
そこで、本発明はこのような問題点に鑑み、各フロアにもオートドアが設置された集合住宅において、訪問者が訪問先の住戸のあるフロアとは異なるフロアに進んでしまった場合に、訪問者が間違っていることを認識できる集合住宅インターホンシステムを提供することを目的とする。
【課題を解決するための手段】
【０００５】
上記課題を解決する為に、請求項１の発明は、集合玄関において居住者を呼び出すための集合玄関機と、各フロアにおいて居住者を呼び出すためのフロア玄関機と、集合玄関機及びフロア玄関機の夫々に対応して設置されたオートドア設備と、個々の住戸において呼び出しに応答するための居室親機と、各機器間の音声信号等を制御する制御機とを有し、更に集合玄関機には、フロア玄関機に対応したオートドア設備を解錠する解錠カードを発券するカード発券機が接続されると共に、フロア玄関機には対応するオートドア設備を解錠するためのカード情報入力手段が接続された集合住宅インターホン装置において、制御機は、個々の居室とフロア玄関機を関連付けたルート情報を記憶するルート記憶手段と、発券した解錠カードの情報と訪問先情報を記憶するカード情報記憶手段と、カード情報入力手段に入力されたカード情報と記憶している解錠カード情報とを比較して正誤を判断する制御機制御手段とを備え、制御機制御手段は、カード情報入力手段に入力されたカード情報が正しい情報であると判断したら解錠制御を行い、他のオートドア設備に関連付けられた誤った解錠カード情報であると判断した場合には、解錠操作されたフロアのフロア玄関機から間違っている旨の案内情報を発する制御を行うことを特徴とする。
この構成によれば、訪問者が訪問先の住戸のあるフロアとは異なったフロアに進んでオートドアを解錠操作した場合、フロア玄関機からは間違いである旨の案内情報が発せられるので、訪問者はすぐに間違ったフロアに居ることに気づき、不安を抱くことなく正しいフロアに進むことができる。
【０００６】
請求項２の発明は、集合玄関において居住者を呼び出すための集合玄関機と、各フロアにおいて居住者を呼び出すためのフロア玄関機と、集合玄関機及びフロア玄関機の夫々に対応して設置されたオートドア設備と、個々の住戸おいて呼び出しに応答するための居室親機と、各機器間の音声信号等を制御する制御機とを有し、更に集合玄関機には、訪問者のバイオメトリクス情報を入力するための第１バイオメトリクス入力機が接続されると共に、フロア玄関機にはオートドア設備を解錠するための第２バイオメトリクス入力機が接続され、制御機は、個々の居室とフロア玄関機を関連付けたルート情報を記憶するルート記憶手段と、第１バイオメトリクス入力機から入手した訪問者情報と訪問先情報を記憶するバイオメトリクス情報記憶手段と、第２バイオメトリクス入力機から入手した訪問者情報と記憶しているバイオメトリクス情報とを比較して正誤を判断する制御機制御手段とを備え、制御機制御手段は、比較した結果正しい情報であると判断したら解錠制御を行い、他のオートドア設備に関連付けられた間違った情報であると判断した場合には、解錠操作されたフロア玄関機から間違っている旨の案内情報を発する制御を行うことを特徴とする。
この構成によれば、訪問者が訪問先の住戸のあるフロアとは異なったフロアに進んでオートドアを解錠操作した場合、フロア玄関機からは間違いである旨の案内情報が発せられるので、訪問者はすぐに間違ったフロアに居ることに気づき、不安を抱くことなく正しいフロアに進むことができる。
【０００７】
請求項３の発明は、請求項１又は２に記載の発明において、フロア玄関機は訪問者を撮像するためのカメラを有すると共に、管理室にはカメラ撮像映像を出画するモニタを備えた管理室親機が設置され、制御機制御手段は、所定の案内情報を発する制御に合わせて、解錠操作されたフロア玄関機のカメラを撮像制御して撮像映像を管理室親機に出画制御することを特徴とする。
この構成によれば、訪問者が訪問先の住戸のあるフロアとは異なったフロアに進んで解錠操作した場合、管理室親機でその訪問者を映し出すので、間違った訪問者に対してアナウンス等行いやすい。
【発明の効果】
【０００８】
本発明によれば、訪問者が訪問先の住戸のあるフロアとは異なったフロアに進んでオートドアを解錠操作した場合、フロア玄関機からは間違いである旨の案内情報が発せられるので、訪問者はすぐに間違ったフロアに居ることに気づき、不安を抱くことなく正しいフロアに進むことができる。
【発明を実施するための最良の形態】
【０００９】
以下、本発明を具体化した実施の形態を、図面に基づいて詳細に説明する。図１は本発明に係る集合住宅インターホンシステムの第１の実施形態を示す構成図であり、３階からなる集合住宅に設置されたシステムを示している。図１において、１は集中エントランス（集合玄関）に設置された集合玄関機、２は集合玄関機１に対応したオートドア設備、３は各フロアに設置されたオートドアを解錠するためのカード発券機、４は個々の住戸に設置された居室親機、５ａは１階のフロアエントランスに設置された１階フロア玄関機、６ａは１階フロア玄関機５ａに対応して設置され、１階の住戸を訪問する際通過する１階オートドア設備、７ａは１階オートドア設備６ａを解錠するための１階カードリーダ、５ｂは２階のフロアエントランスに設置された２階フロア玄関機、６ｂは２階フロア玄関機５ｂに対応して設置され、２階の住戸を訪問する際通過する２階オートドア設備、７ｂは２階オートドア設備６ｂを解錠するための２階カードリーダ、５ｃは３階のフロアエントランスに設置された３階フロア玄関機、６ｃは３階フロア玄関機５ｃに対応して設置され、３階の住戸を訪問する際通過する３階オートドア設備、７ｃは３階オートドア設備６ｃを解錠するための３階カードリーダ、８は管理室に設置された管理室親機、９はシステムを制御する制御機である。
【００１０】
尚、１階〜３階フロア玄関機５ａ〜５ｃは以下フロア玄関機５とし、１階〜３階オートドア設備６ａ〜６ｃは以下フロアオートドア設備６とし、１階〜３階カードリーダ７ａ〜７ｃは以下単にカードリーダ７として説明する。
【００１１】
集合玄関機１、居室親機４、フロア玄関機５、管理室親機８は夫々伝送線Ｍ１〜Ｍ４により制御機９に接続されている。また、オートドア設備２、発券機３は集合玄関機１に接続され、フロアオートドア設備６、カードリーダ７は夫々対応したフロア玄関機５に接続されている。
【００１２】
図２は主要機器を回路ブロックで示した接続図を示し、集合玄関機１は、カード発券機３と通信を行う第１通信回路１３、オートドア設備２と通信を行う第２通信回路１４、制御機９と通信を行う第３通信回路１５、居室親機４の呼び出しを行う操作部１６、居室親機４と通話するためのマイク１７及びスピーカ１８、音声ＩＦ回路１９、訪問者を撮像するカメラ２０、これら全てを制御する集合玄関機ＣＰＵ２１を備えている。
【００１３】
フロア玄関機５は、対応するカードリーダ７と通信する第１通信回路２４、対応するフロアオートドア設備６と通信する第２通信回路２５、制御機９と通信を行う第３通信回路２６、居室親機４の呼び出しを行う操作部２７、居室親機４と通話するためのマイク２８及びスピーカ２９、音声ＩＦ回路３０、訪問者を撮像するカメラ３１、音声信号を記憶する音声メモリ３２、これらを制御するフロア玄関機ＣＰＵ３３を備えている。
【００１４】
居室親機４は、集合玄関機１及びフロア玄関機５と通話を行うためのマイク３６及びスピーカ３７、音声ＩＦ回路３８、オートドア設備２及びフロアオートドア設備６を解錠操作する操作部３９、集合玄関機カメラ２０、或いはフロア玄関機カメラ３１が撮像した訪問者映像を出画するモニタ４０、制御機９と通信を行う通信回路４１、これらを制御する居室親機ＣＰＵ４２を備えている。
【００１５】
管理室親機８は、居室親機４或いは集合玄関機１と通話を行うマイク４５及びスピーカ４６、音声ＩＦ回路４７、オートドア設備２及びフロアオートドア設備６を解錠操作する操作部４８、集合玄関機カメラ２０或いはフロア玄関機カメラ３１の撮像映像を出画するモニタ４９、制御機９と通信を行う通信回路５０、これらを制御する管理室親機ＣＰＵ５１を備えている。
【００１６】
制御機９は、集合玄関機１と通信を行う第１通信回路５３、フロア玄関機５と通信を行う第２通信回路５４、居室親機４と通信を行う第３通信回路５５、管理室親機８と通信を行う第４通信回路５６、カード発券機３とカードリーダ７と集合玄関機１とフロア玄関機５とから取得するデータ、及びカードリーダ７とフロアオートドア設備６と居室番号とを関連付けた情報を記憶する制御機メモリ（ルート記憶手段、カード情報記憶手段）５７、それらを制御する制御機ＣＰＵ（制御機制御手段）５８を備えている。
【００１７】
次に、このように構成された集合住宅インターホンシステムの動作を訪問者の呼出操作を中心に説明する。訪問者が集合玄関機１を操作して居住者を呼出操作、例えば１０１号室（１階の住戸）を呼出操作すると、呼び出しを受けた１０１号室の居室親機４は、呼出操作により撮像を開始した集合玄関機カメラ２０の撮像映像をモニタ４０に出画する。
居住者がこの映像を見ながら通話を行い訪問者を確認したら、図３に示す操作部３９の解錠ボタン６０を押すことで、集中エントランスのオートドア設備２の解錠信号と解錠カード（図示せず）の発券信号が制御機９に送信される。図３は、居室親機４の操作部３９の説明図であり、モニタ４０前面に配置されたタッチパネルで構成されている。そして、解錠ボタン６０は訪問者映像に隣接して表示される。
【００１８】
居室親機４から送信された解錠信号及び発券信号は、制御機９を経由して集合玄関機１に送信され、発券信号を受信した集合玄関機１はカード発券機３と通信を行い解錠カードの発券を行う。同時に、オートドア設備２に解錠信号を送信し、オートドア設備２は解錠される。
尚、発券された解錠カードには、発券された他の解錠カードと区別する特有の番号（集合玄関機１若しくはカード発券機３が決めるカード番号）が磁気情報等で記録されており、そのカード番号は集合玄関機１と制御機９との通信により制御機メモリ５７に訪問先居室番号と合わせて記憶される。
【００１９】
訪問者は、こうして発券された解錠カードを持って集中エントランスのオートドア設備２を通過して訪問先の１０１号室のある１階のフロアエントランスへ進み、１階カードリーダ７ａに解錠カードを通す。カード番号を読み取った１階カードリーダ７ａは、１階フロア玄関機５ａへカード情報を送信し、１階フロア玄関機５ａはそのカード番号とフロア玄関機番号を制御機９へ送信する。
【００２０】
制御機９は、第１フロア玄関機５ａから受信したカード番号と制御機メモリ５７に記憶されているカード番号及びカード番号に関連付けられた居室番号（訪問先居室番号）等を照合し、１階フロアエントランスのオートドア設備６ａを開く許可・不許可の判断を行う。
詳しくは、制御機メモリ５７には個々の居室親機４とフロア玄関機５とを関連付けたルート情報、及び発券した解錠カードと訪問先住戸を関連付けたカード情報が記憶され、訪問先の住戸（１０１号室）が１階にあること、発券した解錠カード番号は１０１号室に関連付けられていることが記憶されている。これらの情報から、制御機ＣＰＵ５８は、第１フロア玄関機５ａから受信したカード番号情報及びフロア玄関機情報から、カード番号に関連付けられた居室のあるフロアから送信されかどうか判断し、関連付けられたフロア（のカードリーダ）から送信された情報であれば、開許可信号をそのフロア玄関機５ａに返信し、関連付けられていないフロアから送信された情報であれば開不許可信号をフロア玄関機５ａに返信する。
【００２１】
ここでは、１０１号室のある１階フロア玄関機５ａの１階カードリーダ７ａが解錠カードを読み取り、その情報が制御機９に送信されるので、開許可信号が返信される。こうして制御機９から開許可信号を受信した１階フロア玄関機５ａは、１階オートドア装置６ａに解錠信号を送信し、１階オートドア装置６ａは開動作する。こうして開いたオートドアを通って、訪問者は１階のフロアエントランスから訪問先住戸へ進む。
【００２２】
一方、開不許可信号が返信された場合は次のように動作する。上述したように訪問先住戸のない間違ったフロアエントランスのカードリーダ７が解錠操作を受けた場合に、そのフロア玄関機には最終的にフロアオートドア設備６の開不許可信号が制御機９から送信される。この信号を受信したフロア玄関機５は、フロアオートドア設備６の解錠制御をせず、音声メモリ３２に記憶されている「お客様の訪問先はこのフロアにはありません」等のメッセージを取り出してスピーカ２９から報音させる。更に、フロア玄関機５のカメラ３１を起動して撮像映像を制御機９に伝送する。
【００２３】
制御機ＣＰＵ５８は、開不許可信号を返信する場合、同時に管理室親機８にモニタ４９の起動及び報知動作等の管理室親機制御信号を送信する。そして、解錠操作を受けたフロア玄関機５と管理室親機８の映像伝送路を接続し、フロア玄関機５のカメラ３１が撮像した映像を管理室親機８に伝送する。管理室親機８は、管理室親機ＣＰＵ５１の制御により管理室親機制御信号を受けてＬＥＤ発光やブザー音等の報知制御を実施すると共に、伝送されてきたカメラ３１の撮像映像をモニタ４９に出画させる。
【００２４】
このように、訪問者が訪問先の住戸のあるフロアとは異なったフロアに進んでオートドア設備を解錠操作した場合、フロア玄関機からは間違いである旨の案内情報が発せられるので、訪問者はすぐに間違ったフロアに居ることに気づき、不安を抱くことなく正しいフロアに進むことができる。
また、訪問者が訪問先の住戸のあるフロアとは異なったフロアに進んで解錠操作した場合、管理室親機でその訪問者を映し出すので、間違った訪問者に対してアナウンス等行いやすい。
【００２５】
次に、本発明に係る集合住宅インターホンシステムの第２の実施形態を説明する。上記第１の実施形態とは、フロアオートドア設備６の開け方（カード発券機３及びカードリーダ７）が異なり、他の構成は同様であるため、上記図１の構成図、図２の接続図を基に差異を説明する。ここでは、カード発券機３に代えて指紋情報や網膜情報等のバイオメトリクス情報を入手する第１バイオメトリクス入力機６１、カードリーダ７に代えて第２バイオメトリクス入力機６２（６２ａ〜６２ｃ）を使用している。
【００２６】
この構成により、集合玄関機１からの呼び出しを受けた居住者が訪問者を確認したら、解錠ボタン６０を押下することで、集中エントランスのオートドア設備２の解錠と共に集合玄関機１に接続された第１バイオメトリクス入力機６１が起動され、訪問者のバイオメトリクス情報の入力が可能となる。そして、訪問者はガイド放送等で案内され、手を第１バイオメトリクス入力機６１のセンサに押し付けたり、目をセンサに近づる等のバイオメトリクス情報の入力操作が行われる。
【００２７】
このような入力操作を行った後、訪問者は集中エントランスのオートドア設備２を入って行き目的の住戸のあるフロアエントランスに進み、フロアエントランスに設置されている第２バイオメトリクス入力機６２に再度入力する操作を行う。その後の制御機９の正誤判定動作、及び訪問者が間違ったフロアに進んだ場合の報知動作は解錠カードの正誤判定動作と同様となる。
このように、バイオメトリクス情報を利用しても、解錠カードを発券する場合と同様の効果を奏する。
【００２８】
尚、上記第１の実施形態では、発券した解錠カードをカード情報入力手段としてのカードリーダ７が読み取る構成であるが、カード発券機３は単に暗証番号を印刷した紙片をプリントアウトし、訪問者がこの紙片を持ってフロアスペースに進み、フロア玄関機５に備えたカード情報入力手段のテンキー等を操作して紙片に印刷された暗証番号を入力することで、フロアエントランスに設置されているフロアオートドア装置６を解錠する簡易な構成としても良い。この場合も同様に、間違ったフロアに訪問者が進んだ場合にアナウンス等を実施できる。
また、集合玄関機１でフロア玄関機カメラ３１の撮像映像を出画する場合、合わせて録画しても良い。また、カードリーダ７に入力された情報、或いは第２バイオメトリクス入力機６２が読み取った情報から、制御機９は訪問者の訪問先情報を入手できるので、間違っていることを報知するメッセージに加えて、進むべきフロア等を合わせてアナウンスしても良い。
【図面の簡単な説明】
【００２９】
【図１】本発明に係る集合住宅インターホンシステムの一例を示す構成図である。
【図２】図１の要部機器を回路ブロック図で示した接続図である。
【図３】居室親機において集中エントランスの解錠操作を行う解錠ボタンを表示したタッチパネル説明図である。
【符号の説明】
【００３０】
１・・集合玄関機、２・・オートドア設備、３・・カード発券機、４・・居室親機、５（５ａ，５ｂ，５ｃ）・・フロア玄関機、６（６ａ，６ｂ，６ｃ）・・フロアオートドア設備、７（７ａ，７ｂ，７ｃ）・・カードリーダ、８・・管理室親機、９・・制御機、２１・・集合玄関機ＣＰＵ、２９・・スピーカ、３１・・カメラ、３２・・音声メモリ、３３・・フロア玄関機ＣＰＵ、３９・・操作部、４２・・居室親機ＣＰＵ、４６・・スピーカ、４９・・モニタ、５１・・管理室親機ＣＰＵ、５７・・制御機メモリ（ルート記憶手段、カード情報記憶手段）、５８・・制御機ＣＰＵ（親機制御手段）、６１・・第１バイオメトリクス入力機、６２・・第２バイオメトリクス入力機。
【図１】
2008079259.tif 000003
【図２】
2008079259.tif 000004
【図３】
2008079259.tif 000005